(57)【要約】【課題】  高齢、障害、疾病、病気療養中等の理由により理・美容室の利用が困難な方のため、在宅、各施設、病院等に訪問し理・美容室で行う同様の洗髪施術を可能にし、座位から仰臥位の姿勢まで対応でき、充分な湯量と水圧で快適かつ安全な洗髪を行うと同時に大量の汚水の処理も行え、連続的に複数人の洗髪を可能にし、且つ施術者の作業負担を軽減し、操作も簡単で一人で洗髪施術が行えること。【解決手段】  シャンプーボール部は、ＦＲＰ製で中空成型で軽量化し被洗髪者の首接置部の凹部は滑らかで幅もある成形で頭部が安定した状態が保て安全快適。シャンプーボール部は、キャスタースタンドと着脱可能な円柱パイプで接続され軽量で移動が容易、接続部の円柱パイプはシャンプーボールの高低・方向調整が容易にでき、シャンプーボール部に洗髪用シャワーヘッド及びシャワーバルブを組み込むことで出水、止水が手元で行え、給湯・排水ポンプの電源はフットスイッチで操作が楽である。【選択図】図１
2008110181.tif 000002
【特許請求の範囲】
【請求項１】
シンクの形状が半球状で最深部に排水口を有するシャンプーボールとそれを乗せるキャスタースタンドから成る携帯移動式洗髪台であって、当該シャンプーボールの上部円周の一部が一定の幅がある滑らかなＵ字状の首接置部が形成され、その対する表面にシャワーホースに接続されたシャワーヘッドとそれに湯を供給するハンドル水栓を有することを特徴とする携帯移動式洗髪台。
【請求項２】
前記シャンプーボールは、ＦＲＰ製で中空成型にし剛性を持たせるため底部に金属板を取り付け、その底板に取り付けた円柱パイプをキャスタースタンドの支柱部に差し込み固定ハンドルにてシャンプーボールの高低・方向を調整することができ、シャンプーボール部とキャスタースタンド部とを分離し運搬することが出来ることを特徴とする請求項１記載の携帯移動式洗髪台。
【請求項３】
給湯方式は充分な湯量と水圧と好みの温度を保つため、▲１▼訪問洗髪車輌に搭載の給湯器から、▲２▼家庭や施設の給湯栓から、▲３▼バスタブ等に貯湯したものを水中ポンプから、耐圧ホースを利用しカップリングでシャワーボールのシャワーバルブ管に接続し、▲１▼▲２▼の方式はシャンプーボールに組み込まれたハンドル水栓にて出水、止水が行え、▲３▼の方式は、キャスタースタンドに設置の感電防止防水電源フットスイッチを操作し出水、止水が行えることを特徴とする請求項１又は２に記載の携帯移動式洗髪台。
【請求項４】
排水方式は、シャンプーボール底部の排水口に接続された排水ホースにカップリングで排水ポンプに接続し、そこからホースにて浴室、流し台、排水口等に直接排水でき、排水ポンプの始動、停止はキャスタースタンドに設置された感電防止防水電源フットスイッチにて操作が行え、また排水ポンプを使用せず高低差を利用した自然排水も可能なことを特徴とする請求項１乃至３に記載の携帯移動式洗髪台。
【請求項５】
洗髪中に被洗髪者の頭部の振動を軽減し快適・安全を保つ為、キャスタースタンドはロック機能つきで、キャスタースタンド支柱を四方向から角パイプで支え、キャスタースタンド底部には、伸縮性転倒防止ストッパーが格納され、洗髪時に引き出し固定使用できると共に、中央部にはトレーが格納されており、理・美容技術施術時にトレーを引き出しシャンプーボール上部に設置することで可動式作業台としても利用できることを特徴とする請求項１乃至４に記載の携帯移動式洗髪台。
【発明の詳細な説明】
【技術分野】
【０００１】  本発明は、理・美容室のシャンプー設備と同様の機能・能力を持ち被洗髪者が在宅、各施設、病院等に於いて理・美容室で行う洗髪施術の同様の快感技術を得られる携帯移動式洗髪台に関する。
【背景技術】
【０００２】  高齢のため、障害のため、疾病のため、病気療養中のため等の理由により、理・美容室の利用が困難な方のため、在宅、各施設、病院等に訪問して理・美容室で行う同様の洗髪施術の需要が増えている。【０００３】  従来の携帯用洗髪台（例えば、特許文献１参照。）は、本来の理・美容室で行う洗髪設備機能を有し、快感技術を提供するには困難と思われる。現状の形状、材質、機能、システムでは、洗髪施術を行う際、被洗髪者の好みの温度で充分な湯量と水圧で快適且つ安全な洗髪と同時に大量の汚水の処理も難しく、連続して複数人の洗髪は困難と思われる。また、洗髪施術の作業性が悪く施術者の負担が大きい。
【特許文献１】特許公開２００１−１８６９１６号公報
【発明の開示】
【発明が解決しようとする課題】
【０００４】  身体状況により座位の姿勢から仰臥位の姿勢まで対応でき、好みの温度で充分な湯量と水圧で快適かつ安全性の高い洗髪台が必要とされている。また、洗髪中の大量の汚水の処理も同時に行え、連続して複数人の洗髪をも可能にする洗髪台が必要とされる。【０００５】  多少の歩行が出来る方から寝たきりの方まで施術出来るように、椅子に座った状態からベッドに寝た状態の方まで施術対応が可能なこと。【０００６】  持ち運びができ、設置・撤去が簡単に行え、操作が楽で施術者の作業負担の軽減につながること。【０００７】  本発明は、上記の問題を解決するための携帯移動式洗髪台の実現を目的とする。
【課題を解決するための手段】
【０００８】  本発明は、上記目的を達成するためにシャンプーボールは、被洗髪者の首接置部が一定の幅がある滑らかなＵ字状に成形し、その表面に着脱できる低反発性のクッションを装着することで、頭部を快適に安定した状態に保つことが出来、その首接置部より下方に大きく半球状の窪んだシンクに成形することで、被洗髪者の後頭部が浮いた状態となり後頭部の洗浄を容易できる。シンクの深部には排水口を設け、そこに底部より外部に排水ホースを接続。シャンプーボール上部表面には、シャワーホースにシャワーヘッドが接続された物及び、ハンドル水栓を組み込んだシャワーボールとそれを支えるアルミ製キャスター付スタンドから構成されている。【０００９】  前記シャンプーボールは、軽量化するためＦＲＰ製で中空成型にし強度を持たせるため底部にはアルミ製の板をボルトにて固定。その底板にアルミ製円柱パイプを溶接し、その円柱パイプをアルミ製キャスター付スタンドの支柱部に差込み固定ハンドルにてシャンプーボールの高低・方向を自由に調整することで被洗髪者の姿勢を快適な状態に保ち、座位の姿勢から仰臥位の姿勢まで対応出来ると同時に、施術する側も楽な姿勢が保てる。また、シャンプーボール部とキャスタースタンド部とを分離でき運搬が容易である。【００１０】  シャワーボール表面に組み込まれたシャワーヘッドは、シャワーボール表面にあるシャワーヘッドホルダー穴から自在に引き出し使用でき、シャワーヘッド自体３６０度回転可能なため洗髪が容易である。またシャワーボール表面に組み込まれたハンドル水栓にて出水、止水が容易に行える。【００１１】  充分な湯量と水圧（１分間に１０リットル以上。）と好みの温度を保つため給湯方式は、３方式が可能である。▲１▼訪問洗髪車輌に搭載の給湯器から、▲２▼家庭や施設の給湯栓から、▲３▼バスタブ等に貯湯した湯を水中ポンプから、耐圧ホースを利用しカップリングでシャワーボールに組み込まれたシャワーバルブ管にワンタッチで接続する。▲１▼▲２▼の給湯方式はシャワーボールに組み込まれたハンドル水栓にて出水、止水が容易に行える。▲３▼の給湯方式は、キャスタースタンドに設置の感電防止防水電源フットスイッチを操作し出水、止水が容易に行える。【００１２】  排水方式は、１分間に２５リットル以上高低差があっても排水可能にするために、シャンプーボール底部に排水口を設けそこから外部に排水ホースを接続し、カップリングで排水ポンプにワンタッチ接続しホースを使用して浴室、流し台、排水口等に直接排水する。排水ポンプの始動・停止は、キャスタースタンドに設置の感電防止防水電源フットスイッチで容易に操作することができる。尚、高低差を利用して排水ポンプを使用せず自然排水も可能である。【００１３】  洗髪中に被洗髪者の頭部の振動を軽減し快適且つ安全性を保つために、キャスタースタンドはロック機能付きであり、キャスタースタンド支柱を四方向からアルミ製角パイプによってキャスタースタンド底板とを溶接し支える構造である。【００１４】  携帯移動式洗髪台の転倒防止対策として、キャスタースタンド底板に伸縮性転倒防止ストッパーが格納されており、洗髪施術時に引き出し固定することが出来る構造である。【００１５】  携帯��動式洗髪台のキャスタースタンド底部に引き出し式アルミ製トレーが格納されており、理・美容技術施術時にトレーを引き出しシャンプーボール上部に設置することで作業台として利用できる構造である。
【発明の効果】
【００１６】  上述したように本発明の携帯移動式洗髪台は、高齢のため、障害のため、疾病のため、病気療養中のため等の理由により理・美容室の利用が困難な方のため、在宅、各施設、病院等に訪問して理・美容室で行う同様の気持ちの良い洗髪施術を可能にする。【００１７】  身体状況により座位の姿勢から仰臥位の姿勢まで対応可能であり、好みの湯温で充分な湯量と水圧で気持ちよく、快適且つ安全な洗髪を提供できる。また、大量の汚水も洗髪と同時に排水処理でき、連続的に複数人の洗髪も可能である。【００１８】  多少の歩行が出来る方から寝たきりの方まで洗髪できるように、椅子に座った状態からベッドに寝た状態の方まで対応できる。【００１９】  軽量・コンパクトでキャスター付なので女性の方でも一人で持ち運びが可能で設置・撤去も容易に行える。【００２０】  施術に際してシャンプーボールの高さ及び方向を自由に調整でき、施述する側も常に楽な姿勢を保つことができ、作業負担も軽減され操作も簡単なため一人で洗髪施術が行える。【００２１】  また、理・美容サービス作業台としても幅広く使用できる。
【発明の実施するための最良の形態】
【００２２】  以下、本発明の実施の形態を図に基づいて説明する。
【００２３】  図１は、携帯移動式洗髪台の外観斜視図である。シャンプーボールＡとそれを支えるキャスタースタンドＢによって構成している。シャンプーボールＡはＦＲＰ製で中空成型で軽量化し且つ強度も充分にある。首接置部１は、一定の幅がある滑らかなＵ字状に成形し、その表面に着脱できる低反発性のクッション１ａを装着したことで頭部を快適に安定した状態に保つことが出来る。首接置部１より下方に大きく半球状の窪んだシンク２を成形することで、被洗髪者の後頭部が浮いた状態となり後頭部の洗浄を容易に行える。またシンク２の深さ及び形状は、シャワーの水量・水圧が一定量あってもシャワーの跳ねがシンク外に飛散し難い構造になっている。シャワーヘッドホルダー３及びハンドル水栓４は、シャワーボールに組み込まれている。シャワーヘッド５はシャワーヘッドホルダー３から自在に引き出せ、またシャワーヘッド５自体３６０度回転するため洗髪を容易に行える。ハンドル水栓４により出水、止水が容易に行える。シャンプーボールＡは強度を持たせる為、底部にアルミ製板（図４）−２０を取り付け、そこにアルミ製パイプ６を溶接し、そのアルミ製パイプ６をキャスタースタンドＢの支柱７に差込み固定ハンドル８にてシャンプーボールＡの高低・方向を自由に調整することで被洗髪者の姿勢を快適・安全に保つことが出来ると同時に、施術者も楽な姿勢が保て作業の負担を軽減できる。また、シャンプーボールＡのアルミ製パイプ６とキャスタースタンドＢの支柱７は分離することが出来、運搬が容易である。キャスタースタンドＢは、軽量化するためアルミ製である。キャスタースタンドＢの底板９は、軽量で且つ強度を持たせる為、コの字状に加工（図７）。その中に引き出し式のアルミ製トレー１０を格納。また、底板９に角パイプ１１ａ、１１ｂ、を溶接し、その下部にロック付きキャスターを四箇所取り付けることで、移動、運搬が容易にできる。また、角パイプ１１ａ、１１ｂ、に格納されたキャスター付角パイプ１２ａ、１２ｂ、を引き出し固定することで携帯移動式洗髪台の洗髪中の転倒防止ストッパーとして使用できる。キャスタースタンドＢの支柱７を振動防止触れ止め１３（４本）で底板９とを四隅から溶接することで、洗髪中の被洗髪者の頭部の振動を軽減し快適・安全に洗髪できる。キャスタースタンドＢの底板９上に給湯・排水ポンプの感電防止防水電源フットスイッチ１４が設置されており、足で操作でき作業効率が良い。
【００２４】  図２は、シャンプーボールＡを真上から見た平面図である。首接置部１より下方に半球状に窪んだシンク２があり、その最深部に排水口１５があり、そこに排水ホースを接続し外部に汚水を排水する。排水能力は、１分間に２５リットル以上可能である。尚、排水口１５には洗髪時に出る毛髪を除去する網が設置されている。シャンプーボールＡ上部表面には、ハンドル水栓４とシャワーヘッドホルダー３が操作しやすい位置にある。
【００２５】  図３は、シャンプーボールＡを真裏から見た平面図である。シャンプーボールＡは中空状になっている。シンク２の裏側の中央部の支柱受け部に緩衝クッションゴム１９をシャンプーボール底板（図４）−２０との間に設置している。排水口１５、シャワーバルブ管穴１６、シャワーホース穴１７、シャワーヘッド側ホース穴１８。シャンプーボール底板（図４）−２０の取り付けボルト穴２１（８箇所）である。
【００２６】  図４は、シャンプーボールＡの底板２０を真裏から見た平面図である。底板２０は、シャンプーボールＡの強度をもたせ支えるためアルミ製板をボルトで８箇所取り付け２１、その中心にアルミ製支柱パイプ６を溶接してある。シャワーバルブ管穴１６、シャワーホース穴１７、シャワーヘッド側シャワーホース穴１８、排水口穴１５。
【００２７】  図５は、携帯移動式洗髪台の首接置部１側から見た正面図である。上部がシャンプーボール部Ａ、下部がキャスタースタンド部Ｂ。シャンプーボール部Ａには、首接置部１、アルミ製パイプ６、シャワーホース２２、シャワーバルブ管２３。給湯ホース２５とシャワーバルブ管２３をワンタッチで接続するカップリング２４がある。アルミ製パイプ６の後ろ側に見えないが排水管（図６）−２５が存在する。キャスタースタンドＢには、支柱７、固定ハンドル８、底板９、伸縮性転倒防止ストッパー１２ａ、１２ｂ、給湯・排水ポンプ感電防止電源フットスイッチ１４がある。
【００２８】  図６は、携帯移動式洗髪台を右側から見た側面図である。Ｕ字状に窪んだ首接置部１が点線の上部に位置する。シャンプーボールＡにハンドル水栓４から下のシャワーバルブ管２３に接続され、そこにカップリング２４（オス部）が接続されている。使用時は、カップリング２４（オス部）へ給湯ホース先端に接続されたカップリング（メス部）をワンタッチで接続し、給湯するシステムである。出水、止水はハンドル水栓４で容易に行える。また、シンク２の最深部にある排水口（図２）−１５、（図３）−１５下方に排水ホース２５が接続され、カップリングで排水ポンプへワンタッチで接続される。シャンプーボール底板に溶接されたパイプ６をキャスタースタンドＢの支柱７へ差し込み、固定ハンドル８でシャンプーボールの高さ、方向を調節し固定する。キャスタースタンド底板９に、給湯・排水ポンプ感電防止電源フットスイッチ１４が設置され、操作は足にて容易に行える。その下部に底板９に格納された引き出し式のトレー１０があり、シャンプーボールの上に置くことで作業台としても使用できる。洗髪施術時には、ロック付きキャスター角パイプ１１ａ内に格納された伸縮性転倒防止ストッパー１２ａを引き出し使用する。
【００２９】  図７は、キャスタースタンドＢの底板９の軽量で且つ強度を持たせるための構造の説明です。またその中に引き出し式で格納されるトレー１０の斜視図です。
【００３０】  図８、図９は、携帯移動式洗髪台と携帯移動式昇降フルリクライニング椅子との組み合わせによる施術状況です。座位の姿勢から仰臥位の姿勢まで快適・安全な施術が得られます。施術者の作業負担を軽減し、操作性もよく一人で洗髪施術が行える。
【図面の簡単な説明】
【００３１】
【図１】  本発明の実施形態を示す携帯移動式洗髪台の外観斜視図
【図２】  同シャンプーボールＡを真上から見た平面図
【図３】  同シャンプーボールＡを真裏から見た平面図
【図４】  同シャンプーボールＡに取り付けた底板２０を真裏から見た平面図
【図５】  同携帯移動式洗髪台の首接置部側から見た正面図
【図６】  同携帯移動式洗髪台の右側面図
【図７】  同キャスタースタンドＢの底板９の構造図  同底板９に格納されるトレー１０の斜視図
【図８】  同携帯移動式洗髪台と携帯移動式昇降フルリクライニング椅子との組み合わせ。（座位の姿勢の場合の使用方法。）
【図９】  同携帯移動式洗髪台と携帯移動式昇降フルリクライニング椅子との組み合わせ。（仰臥位の姿勢の場合の使用方法。）
【符号の説明】
【００３２】  Ａ  シャンプーボール部
Ｂ  キャスタースタンド部
１  首接置部
１ａ低反発性クッション
２  半球状に窪んだシンク
３  シャワーヘッドホルダー
４  ハンドル水栓
５  シャワーヘッド
６  アルミ製パイプ
７  キャスタースタンド支柱
８  シャンプーボール固定ハンドル
９  キャスタースタンド底板
１０  引き出し式トレー
１１ａロック付きキャスター角パイプ
１１ｂロック付きキャスター角パイプ
１２ａ伸縮性転倒防止ストッパー
１２ｂ伸縮性転倒防止ストッパー
１３  振動防止触れ止め（４本）
１４  給湯・排水ポンプ感電防止電源フットスイッチ
１５  排水口
１６  シャワーバルブ管穴
１７  シャワーホース穴
１８  シャワーヘッド側シャワーホース穴
１９  緩衝クッションゴム
２０  シャンプーボール底板
２１  シャンプーボール底板取り付け穴
２２  シャワーホース
２３  シャワーバルブ管
２４  カップリング
２５  排水ホース
【図１】
2008110181.tif 000003
【図２】
2008110181.tif 000004
【図３】
2008110181.tif 000005
【図４】
2008110181.tif 000006
【図５】
2008110181.tif 000007
【図６】
2008110181.tif 000008
【図７】
2008110181.tif 000009
【図８】
2008110181.tif 000010
【図９】
2008110181.tif 000011